【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
テキスト・サブタイトルのスタイル情報を管理するデータ構造を格納する記録媒体において、
少なくとも１つのテキスト・サブタイトル・ストリームを格納するデータ領域を含み、
前記テキスト・サブタイトル・ストリームは、少なくとも１つのテキスト領域に適用される領域スタイルを定義するスタイル・セグメントを含み、
前記スタイル・セグメントは、各領域スタイルのユーザ制御スタイルのうちの少なくとも1つのセットを定義し、
ユーザ制御スタイルの各セットは、選択可能であり、対応する領域スタイルにより指定される領域プレゼンテーション・プロパティのうちの少なくとも１つを変更するように構成されたことを特徴とする記録媒体。
【請求項２】
前記スタイル・セグメントは、前記領域スタイルのセットの数を示すデータフィールドを含むことを特徴とする請求項１に記載の記録媒体。
【請求項３】
前記領域スタイルの数は、６０以下であることを特徴とする請求項２に記載の記録媒体。
【請求項４】
前記スタイル・セグメントは、各領域スタイルの前記スタイル・セグメントに定義された前記ユーザ制御スタイルのセットの数を示すデータフィールドを含むことを特徴とする請求項１に記載の記録媒体。
【請求項５】
各領域スタイルに対して定義された前記ユーザ制御スタイルのセットの数は、２５個以下であることを特徴とする請求項４に記載の記録媒体。
【請求項６】
ユーザ制御スタイルの各セットは、前記対応する領域スタイルにより指定された領域プレゼンテーション・プロパティのうちの少なくとも１つにおける変更方向及び変更量を指定することを特徴とする請求項１に記載の記録媒体。
【請求項７】
前記領域プレゼンテーション・プロパティは、領域の水平位置、領域の垂直位置、テキストの水平位置、テキストの垂直位置、ラインスペース及びフォントサイズのうちの少なくとも１つを含むことを特徴とする請求項１に記載の記録媒体。
【請求項８】
各ユーザ制御スタイルは、前記対応する領域スタイルにより指定される、領域の水平位置、領域の垂直位置、テキストの水平位置、テキストの垂直位置、ラインスペース及びフォントサイズのうちの少なくとも１つにおける変更方向及び変更量を指定することを特徴とする請求項１に記載の記録媒体。
【請求項９】
前記スタイル・セグメントは、前記スタイル・セグメントに定義された前記領域スタイルのセットと、プレーヤ・スタイルの独自のセットの生成をプレーヤに許可するか否かを示すプレーヤ・スタイル・フラグを含むことを特徴とする請求項１に記載の記録媒体。
【請求項１０】
テキスト・サブタイトルのスタイル情報を管理するデータ構造を格納する記録媒体において、
少なくとも１つのテキスト・サブタイトル・ストリームを格納するデータ領域を含み、
各テキスト・サブタイトル・ストリームは、領域スタイルを定義するスタイル・セグメントと、少なくとも１つのプレゼンテーション・セグメントを含み、
各プレゼンテーション・セグメントは、少なくとも１つのテキスト領域を含み、前記領域スタイルのうちの少なくとも１つに関連付けられ、
前記スタイル・セグメントは、各領域スタイルのユーザ制御スタイル・セットのうちの少なくとも１つをさらに定義し、
ユーザ制御スタイルの各セットは、選択可能であり、対応する領域スタイルにより指定される領域プレゼンテーション・プロパティのうちの少なくとも１つを変更するように構成されたことを特徴とする記録媒体。
【請求項１１】
記録媒体内に記録されたテキスト・サブタイトル・ストリームをデコードする方法において、
前記テキスト・サブタイトル・ストリームをサブタイトル・ローディング・バッファにロードするステップであって、
前記テキスト・サブタイトル・ストリームは、領域スタイルを定義するスタイル・セグメントと、少なくとも１つのプレゼンテーション・セグメントを含み、
各プレゼンテーション・セグメントは、少なくとも１つの領域を含み、前記領域スタイルのうちの少なくとも１つに関連付けられ、
前記スタイル・セグメントは、各領域スタイルのユーザ制御スタイルのセットのうちの少なくとも１つをさらに定義し、
ユーザ制御スタイルの各セットは、選択可能であり、対応する領域スタイルによって指定される少なくとも１つの領域プレゼンテーション・プロパティを変更するように構成された、ステップと、
前記関連付けられた領域スタイルと前記ユーザ制御スタイルのセットの１つを用いて各プレゼンテーション・セグメントをデコードするステップと
を含むことを特徴とする方法。
【請求項１２】
前記各ユーザ制御スタイルは、前記対応する領域スタイルにより指定される領域プレゼンテーション・プロパティのうちの少なくとも１つにおける変更方向及び変更量を指定することを特徴とする請求項１１に記載の方法。
【請求項１３】
前記領域プレゼンテーション・プロパティは、領域の水平位置、領域の垂直位置、テキストの水平位置、テキストの垂直位置、ラインスペース及びフォントサイズのうちの少なくとも１つを含むことを特徴とする請求項１１に記載の方法。
【請求項１４】
前記各ユーザ制御スタイルは、前記対応する領域スタイルにより指定される、領域の水平位置、領域の垂直位置、テキストの水平位置、テキストの垂直位置、ラインスペース及びフォントサイズのうちの少なくとも１つにおける変更方向及び変更量を指定することを特徴とする請求項１１に記載の方法。
【請求項１５】
前記スタイル・セグメントは、前記領域スタイルの数を示すデータフィールドを含むことを特徴とする請求項１１に記載の方法。
【請求項１６】
前記領域スタイルの数は、６０以下であることを特徴とする請求項１５に記載の方法。
【請求項１７】
前記スタイル・セグメントは、各領域スタイルの前記スタイル・セグメントで定義された前記ユーザ制御スタイルのセットの数を示すデータフィールドを含むことを特徴とする請求項１１に記載の方法。
【請求項１８】
各領域スタイルに対して定義された前記ユーザ制御スタイルのセットの数は、２５以下であることを特徴とする請求項１７に記載の方法。
【請求項１９】
ユーザ制御スタイルの各セットは、前記対応する領域スタイルによって指定される領域プレゼンテーション・プロパティのうちの少なくとも１つにおける変更方向及び変更量を指定することを特徴とする請求項１１に記載の方法。
【請求項２０】
前記領域プレゼンテーション・プロパティは、領域の水平位置、領域の垂直位置、テキストの水平位置、テキストの垂直位置、ラインスペース及びフォントサイズのうちの少なくとも１つを含むことを特徴とする請求項１１に記載の方法。
【請求項２１】
前記各ユーザ制御スタイルは、前記対応する領域スタイルにより指定される、領域の水平位置、領域の垂直位置、テキストの水平位置、テキストの垂直位置、ラインスペース及びフォントサイズのうちの少なくとも１つにおける変更方向及び変更量を指定することを特徴とする請求項１１に記載の方法。
【請求項２２】
前記スタイル・セグメントは、前記スタイル・セグメントに定義された前記領域スタイルのセットと、プレーヤ・スタイルの独自のセットの生成をプレーヤに許可するか否かを示すプレーヤ・スタイル・フラグを含むことを特徴とする請求項１１に記載の方法。
【請求項２３】
外部ソースから前記テキスト・サブタイトル・ストリームを受け取るステップをさらに含むことを特徴とする請求項１１に記載の方法。
【請求項２４】
外部ソース又は前記記録媒体から得られる前記テキスト・サブタイトル・ストリームを選択するステップをさらに含むことを特徴とする請求項１１に記載の方法。
【請求項２５】
記録媒体に記録されたテキスト・サブタイトル・ストリームをデコードする装置において、
前記テキスト・サブタイトル・ストリームをサブタイトル・プレローディング・バッファにロードするように構成されたサブタイトル・ローディング・バッファであって、
前記ロードされたテキスト・サブタイトル・ストリームは、領域スタイルを定義するスタイル・セグメントと、少なくとも１つのプレゼンテーション・セグメントを含み、
各プレゼンテーション・セグメントは、少なくとも１つの領域を含み、前記領域スタイルのうちの少なくとも１つに関連付けられ、
前記スタイル・セグメントは、各領域スタイルのユーザ制御スタイルのセットのうちの少なくとも１つをさらに定義し、
ユーザ制御スタイルの各セットは、選択可能であり、対応する領域スタイルによって指定された領域プレゼンテーション・プロパティのうちの少なくとも１つを変更するように構成された、サブタイトル・ローディング・バッファと、
前記関連付けられた領域スタイルと、前記ユーザ制御スタイルの１つを用いて、各プレゼンテーション・セグメントをデコードするように構成されたテキスト・サブタイトル・デコーダと
を備えることを特徴とする装置。
【請求項２６】
前記スタイル・セグメントは、前記領域スタイルの数を示すデータフィールドを含むことを特徴とする請求項２５に記載の装置。
【請求項２７】
前記領域スタイルの数は、６０以下であることを特徴とする請求項２６に記載の装置。
【請求項２８】
前記スタイル・セグメントは、各領域スタイルの前記スタイル・セグメントで定義された前記ユーザ制御スタイルのセットの数を示すデータフィールドを含むことを特徴とする請求項２５に記載の装置。
【請求項２９】
各領域スタイルに対して定義された前記ユーザ制御スタイルのセットの数は、２５以下であることを特徴とする請求項２８に記載の装置。
【請求項３０】
ユーザ制御スタイルの各セットは、前記対応する領域スタイルによって指定される領域プレゼンテーション・プロパティのうちの少なくとも１つにおける変更方向と変更量を指定することを特徴とする請求項２５に記載の装置。
【請求項３１】
前記領域プレゼンテーション・プロパティは、領域の水平位置、領域の垂直位置、テキストの水平位置、テキストの垂直位置、ラインスペース及びフォントサイズのうちの少なくとも１つを含むことを特徴とする請求項２５に記載の装置。
【請求項３２】
前記各ユーザ制御スタイルは、前記対応する領域スタイルにより指定される、領域の水平位置、領域の垂直位置、テキストの水平位置、テキストの垂直位置、ラインスペース及びフォントサイズのうちの少なくとも１つにおける変更方向及び変更量を指定することを特徴とする請求項２５に記載の装置。
【請求項３３】
前記スタイル・セグメントは、前記スタイル・セグメントに定義された前記領域スタイルのセットと、プレーヤ・スタイルの独自のセットの生成をプレーヤに許可するか否かを示すプレーヤ・スタイル・フラグを含むことを特徴とする請求項２５に記載の装置。
【請求項３４】
外部ソース又は前記記録媒体から得られる前記テキスト・サブタイトル・ストリームを選択するセレクタをさらに備えることを特徴とする請求項２５に記載の装置。
【請求項３５】
前記外部ソースから前記テキスト・サブタイトル・ストリームを受け取るレシーバをさらに備えることを特徴とする請求項２５に記載の装置。
【請求項３６】
少なくとも１つのテキスト・サブタイトル・ストリームを記録する方法において、
少なくとも１つの領域に適用される領域スタイルを定義するスタイル・セグメントを含む少なくとも１つのテキスト・サブタイトル・ストリームを記録するステップを含み、
前記スタイル・セグメントは、各領域スタイルのユーザ制御スタイルのセットのうちの少なくとも１つをさらに定義し、
ユーザ制御スタイルの各セットは、選択可能であり、対応する領域スタイルにより指定される領域プレゼンテーション・プロパティのうちの少なくとも１つを変更するように構成されたことを特徴とする方法。
【請求項３７】
各ユーザ制御スタイルは、前記対応する領域スタイルにより指定された領域プレゼンテーション・プロパティのうちの少なくとも１つにおける変更方法及び変更量を指定することを特徴とする請求項３６に記載の方法。
【請求項３８】
前記領域プレゼンテーション・プロパティは、領域の水平位置、領域の垂直位置、テキストの水平位置、テキストの垂直位置、ラインスペース及びフォントサイズのうちの少なくとも１つを含むことを特徴とする請求項３６に記載の方法。
【請求項３９】
各ユーザ制御スタイルは、前記対応する領域スタイルにより指定される、領域の水平位置、領域の垂直位置、テキストの水平位置、テキストの垂直位置、ラインスペース及びフォントサイズのうちの少なくとも１つにおける変更方向及び変更量を指定することを特徴とする請求項３６に記載の方法。
【請求項４０】
前記スタイル・セグメントは、前記領域スタイルの数を示すデータフィールドを含むことを特徴とする請求項３６に記載の方法。
【請求項４１】
前記領域スタイルの数は、６０以下であることを特徴とする請求項４０に記載の方法。
【請求項４２】
前記スタイル・セグメントは、各領域スタイルの前記スタイル・セグメントにおいて定義された前記ユーザ制御スタイルのセットの数を示すデータフィールドを含むことを特徴とする請求項３６に記載の方法。
【請求項４３】
各領域スタイルに対して定義された前記ユーザ制御スタイルのセットの数は、２５以下であることを特徴とする請求項４２に記載の方法。
【請求項４４】
ユーザ制御スタイルの各セットは、前記対応する領域スタイルにより指定された領域プレゼンテーション・プロパティのうちの少なくとも１つにおける変更方向及び変更量を指定することを特徴とする請求項３６に記載の方法。
【請求項４５】
前記領域プレゼンテーション・プロパティは、領域の水平位置、領域の垂直位置、テキストの水平位置、テキストの垂直位置、ラインスペース及びフォントサイズのうちの少なくとも１つを含むことを特徴とする請求項３６に記載の方法。
【請求項４６】
各ユーザ制御スタイルは、前記対応する領域スタイルにより指定される、領域の水平位置、領域の垂直位置、テキストの水平位置、テキストの垂直位置、ラインスペース及びフォントサイズのうちの少なくとも１つにおける変更方向及び変更量を指定することを特徴とする請求項３６に記載の方法。
【請求項４７】
前記スタイル・セグメントは、前記スタイル・セグメントに定義された前記領域スタイルのセットと、プレーヤ・スタイルの独自のセットの生成をプレーヤに許可するか否かを示すプレーヤ・スタイル・フラグを含むことを特徴とする請求項３６に記載の方法。
【請求項４８】
外部ソースから前記テキスト・サブタイトル・ストリームを受け取るステップをさらに含むことを特徴とする請求項３６に記載の方法。
【請求項４９】
外部ソース又は前記記録媒体から得られる前記テキスト・サブタイトル・ストリームを選択するステップをさらに含むことを特徴とする請求項３６に記載の方法。
【請求項５０】
少なくとも１つのテキスト・サブタイトル・ストリームを格納するデータ領域を含むデータ構造であって、
各テキスト・サブタイトル・ストリームは、少なくとも１つのテキスト領域に適用される領域スタイルを定義するスタイル・セグメントを含み、
前記スタイル・セグメントは、各領域スタイルに対してユーザ制御スタイルのセットをさらに定義し、
各ユーザ制御スタイルは、選択可能であり、対応する領域スタイルにより指定された領域プレゼンテーション・プロパティのうちの少なくとも１つを変更するように構成されたことを特徴とするデータ構造。
【請求項５１】
コンピュータに、テキスト・サブタイトル・ストリームを再生する処理を実行させるプログラムを記録したコンピュータ読み取り可能な記録媒体において、
前記テキスト・サブタイトル・ストリームをサブタイトル・ローディング・バッファにロードする手順であって、
前記テキスト・サブタイトル・ストリームは、領域スタイルを定義するスタイル・セグメントと、少なくとも１つのプレゼンテーション・セグメントを含み、
各プレゼンテーション・セグメントは、テキストの少なくとも１つの領域を含み、前記領域スタイルのセットのうちの少なくとも１つに関連付けられ、
前記スタイル・セグメントは、各領域スタイルに対してユーザ制御スタイルのセットをさらに定義し、
各ユーザ制御スタイルは、選択可能であり、対応する領域スタイルによって指定された少なくとも１つの領域プレゼンテーション・プロパティを変更するように構成された、手順と、
前記関連付けられた領域スタイルと前記ユーザ制御スタイルのセットのうちの１つを用いて各プレゼンテーション・セグメントをデコードする手順と
を実行させるためのプログラムを記録したコンピュータ読み取り可能な記録媒体。
【請求項５２】
コンピュータに、テキスト・サブタイトル・ストリームを再生する処理を実行させるプログラムにおいて、
前記テキスト・サブタイトル・ストリームをサブタイトル・ローディング・バッファにロードする手順であって、
前記テキスト・サブタイトル・ストリームは、領域スタイルを定義するスタイル・セグメントと、少なくとも１つのプレゼンテーション・セグメントを含み、
各プレゼンテーション・セグメントは、少なくとも１つのテキスト領域を含み、前記領域スタイルのうちの少なくとも１つに関連付けられ、
前記スタイル・セグメントは、各領域スタイルに対してユーザ制御スタイルのセットをさらに定義し、
各ユーザ制御スタイルは、選択可能であり、対応する領域スタイルによって指定された少なくとも１つの領域プレゼンテーション・プロパティを変更するように構成された、手順と、
前記関連付けられた領域スタイルと前記ユーザ制御スタイルのセットのうちの１つを用いて各プレゼンテーション・セグメントをデコードする手順と
を実行させるためのプログラム。